(57)【要約】【課題】  空気漏れなどの異常を起こさず、また、装着状態で患者に負担を強いることがなく、さらに、着脱が容易な睡眠時無呼吸症候群治療装置を提供する。【解決手段】  上下方向に伸縮可能な鉛直支持枠１１の下端に支持台１７を固定し、鉛直支持枠１１の上段部に、腕片１２を、その基端を軸支して水平方向に微揺動可能に連結し、鉛直支持枠１１の中段部分に、空気供給装置３０を載せるための載置台１３を、一つまたは上下に複数設ける。また、載置台１３に載せた空気供給装置３０の吐出部３１と、患者Ｐが鼻部分に装着する吸気マスク２０の回転自在なピボット筒２２とを、腕片１２に吊り下げた可撓ホース４０を介して連通する。【選択図】      図２
0003126678.tif 000002
【実用新案登録請求の範囲】
【請求項１】
上下方向に伸縮可能な鉛直支持枠（１１）の下端に支持台（１７）を固定し、前記鉛直支持枠の上段部に，腕片（１２）を，その基端を軸支して水平方向に微揺動可能に連結し、前記鉛直支持枠の中段部分に，空気供給装置（３０）を載せるための載置台（１３）を，一つまたは上下に複数設け、前記載置台に載せた空気供給装置の吐出部（３１）と，患者（Ｐ）が鼻部分に装着する吸気マスク（２０）の回転自在なピボット筒（２２）とを，前記腕片に吊り下げた可撓ホース（４０）を介して連通してなる睡眠時無呼吸症候群治療装置。
【請求項２】
上下方向に伸縮可能な鉛直支持枠（１１）の下端に支持台（１７）を固定し、前記鉛直支持枠の上段部に，腕片（１２）を，その基端を軸支して水平方向に微揺動可能に連結し、前記鉛直支持枠の中段部分に，空気供給装置（３０）を載せるための載置台（１３）を，一つまたは上下に複数設け、前記載置台に載せた空気供給装置の吐出部（３１）と，患者（Ｐ）が鼻部分に装着する吸気マスク（２０）の回転自在なピボット筒（２２）とを，前記腕片に吊り下げた可撓ホース（４０）を介して連通し、前記吸気マスク（２０）を，正面略二等片三角形状のマスク本体（２１）の下端部左右一端を始端とする耳掛け用のゴム帯（２３）を，前記マスク本体の上端部中央の長孔（２４）を通して下端部他端に連結すると共に，該ゴム帯に，その長さを調整するための調整具（５０）を設け、更にマスク本体（２１）の下端部の左右両端間に患者（Ｐ）の後頭部下位に接触するゴムバンド（２６）を架設して形成してなる睡眠時無呼吸症候群治療装置。
【考案の詳細な説明】
【技術分野】
【０００１】
本考案は、睡眠時無呼吸症候群を治療するための装置に関するものである。
【背景技術】
【０００２】
近年、睡眠時無呼吸症候群という病気が注目を集めている。睡眠時無呼吸症候群とは、気道の閉塞などが原因で、睡眠中に何度も呼吸が止まる無呼吸状態を繰り返す病気であり、いびき、起床時の頭痛、日中の眠気、倦怠感などの症状がある。また、高血圧や脳卒中などの循環器疾患、糖尿病などの合併症を引き起こすこともある。さらに、日中の眠気のため、居眠り運転による交通事故を起こし易いとも言われ、早急な治療が求められている。
【０００３】
これまで、この睡眠時無呼吸症候群を治療するために、図１に示すような略三角マスク状の装置６０が創案されている。この装置６０は、その上端部と下端部に設けた二本の帯６１をそれぞれ頭部と顔部に巻き付け、面ファスナー（マジックテープ；登録商標）で固定している。そして、前面に設けたノズル６２に、ホース６３を介して、寝床の枕元に置いた空気供給装置３０から空気を送っている。
【考案の開示】
【考案が解決しようとする課題】
【０００４】
しかし、こうした従来の装置には、次のような解決すべき問題がある。
（イ）空気供給装置を枕元に置いているので、患者Ｐが寝返りを打つと、その動きにホース６３が追従することができなくなり、ホース６３が装置のノズル６２から外れるなどして、空気漏れを起こしてしまい易い。
（ロ）二本の帯６１を面ファスナーで固定するので、外れないようにするために、必然的に強く締付けてしまい易く、よって、頭部や顔部が重苦しくなる。また、着脱に手間を要するので、例えば、トイレに行きたい場合などに取り外し難く、不便を感じる。
【０００５】
本考案はこうした問題に鑑み創案されたもので、空気漏れなどの異常を起こさず、また、装着状態で患者に負担を強いることがなく、さらに、着脱が容易な睡眠時無呼吸症候群治療装置を提供することを課題とする。
【課題を解決するための手段】
【０００６】
図２乃至図９を参照して説明する。請求項１に記載の睡眠時無呼吸症候群治療装置１は、上下方向に伸縮可能な鉛直支持枠１１の下端に支持台１７を固定し、前記鉛直支持枠１１の上段部に、腕片１２を、その基端を軸支して水平方向に微揺動可能に連結し、前記鉛直支持枠１１の中段部分に、空気供給装置３０を載せるための載置台１３を、一つまたは上下に複数設け、前記載置台１３に載せた空気供給装置３０の吐出部３１と、患者Ｐが鼻部分に装着する吸気マスク２０の回転自在なピボット筒２２とを、前記腕片１２に吊り下げた可撓ホース４０を介して連通してなるものである。
【０００７】
請求項２に記載の無呼吸症候群治療装置１は、上下方向に伸縮可能な鉛直支持枠１１の下端に支持台１７を固定し、前記鉛直支持枠１１の上段部に、腕片１２を、その基端を軸支して水平方向に微揺動可能に連結し、前記鉛直支持枠１１の中段部分に、空気供給装置３０を載せるための載置台１３を、一つまたは上下に複数設け、前記載置台１３に載せた空気供給装置３０の吐出部３１と、患者Ｐが鼻部分に装着する吸気マスク２０の回転自在なピボット筒２２とを、前記腕片１２に吊り下げた可撓ホース４０を介して連通してなるものである。
【０００８】
また、前記吸気マスク２０を、正面略二等片三角形状のマスク本体２１の下端部の左右一端を始端とする耳掛け用のゴム帯２３を、前記マスク本体２１の上端部中央の長孔２４を通して下端部他端に連結すると共に、当該ゴム帯２３に、その長さを調整するための調整具５０を設け、更に前記マスク本体２１の下端部の左右両端間に患者Ｐの後頭部下位に接触するゴムバンド２６を架設して形成してなるものである。
【考案の効果】
【０００９】
請求項１に記載の無呼吸症候群治療装置１は、載置台１３に載せた空気供給装置３０から、空気を、腕片１２に吊り下げた可撓ホース４０を介して吸気マスク２０に供給するので、患者Ｐが寝返りを打った場合、その動きに可撓ホース４０が追従することができる。
【００１０】
この追従は、特に、可撓ホース４０を腕片１２から吊り下げて状態で余裕を持たせて支持していること、腕片１２を微揺動するように設けていること、および、撓み易い可撓ホース４０を使用していることによって可能となっている。これにより、例えば、患者Ｐが寝返りを打っても、可撓ホース４０が吸気マスク２０から外れるなどして空気漏れを起こしてしまうことがない。よって、効果的な治療を行うことができる。
【００１１】
請求項２に記載の無呼吸症候群治療装置１は、請求項１に記載の考案と同様に、空気漏れを防止して、効果的な治療を行うことができる。また、吸気マスク２０には耳掛け用のゴム帯２３を取付けているので、従来技術のように頭部などを帯で強く締め付けて、患者Ｐに負担を強いるといったことがない。また、ゴム帯２３を耳に掛けて装着できるので、着脱が容易である。
【００１２】
なお、このゴム帯２３は、マスク本体２１の下端部の左右一端を始端とし、当該マスク本体２１の上端部中央に形成した長孔２４を通して、下端部の他端に連結しているので、ゴム帯２３の左右の長さを容易に均等化することができる。よって、使用性に優れる。また、ゴム帯２３に、その長さを調整するための調整具５０を設けているので、患者Ｐに合わせてゴム帯２３の長さを自在に調整することができ、これによっても使用性が良い。また、ゴムバンド２６は、マスク本体２１の下端部を後下方に引張るので、マスク本体２１の周縁を患者Ｐの顔面に密着させることが出来る。
【考案を実施するための最良の形態】
【００１３】
本考案に係る睡眠時無呼吸症候群治療装置１の実施形態を、図２乃至図９に示す。この装置１は、補助架台１０、吸気マスク２０、空気供給装置３０および可撓ホース４０を備える。
【００１４】
補助架台１０は、上下方向に伸縮可能な鉛直支持枠１１の下端に支持台１７を固定し、鉛直支持枠１１の上段部に、腕片１２を、その基端を軸支して水平方向に微揺動可能に連結し、さらに、鉛直支持枠１１の中段部分に、空気供給装置３０を載せるための載置台１３を、上下に二つ設けて形成している。なお、載置台１３の数は限定されない。また、腕片１２の先端部と鉛直支持枠１１の上端部とをワイヤー１６で連結し、当該腕片１２のより良い安定性を確保している。
【００１５】
そして、載置台１３に載せた空気供給装置３０の吐出部３１と、患者Ｐが鼻部分に装着する吸気マスク２０の回転自在なピボット筒２２とを、腕片１２に吊り下げた可撓ホース４０を介して連通している。
【００１６】
また、吸気マスク２０は、正面略二等片三角形状であるマスク本体２１の下端部の左右一端を三角状のリング５４に固定して始端とする耳掛け用のゴム帯２３を、マスク本体２１の上端部中央の長孔２４を通して下端部の他端に固定して同じく三角状のリング５４に連結すると共に、そのゴム帯２３に、その長さを調整するための調整具５０を設け、更に前記左右のリング５４，５４間に患者Ｐの後頭部下位に接触する長さ調節可能なゴムバンド２６の両端を接続して形成している。なお、吸気マスク２０の背面側には、患者Ｐの鼻部分に接触する軟質材製で略三角筒状の接触部材２５を設けている。
【００１７】
この装置１は、次のようにして使用することができる。まず、補助架台１０を、患者Ｐの寝床２に隣接して配置する。次に、その載置台１３に載せた空気供給装置３０の吐出部３１と、患者Ｐが鼻部分を覆うようにして装着する吸気マスク２０のピボット筒２２とを、可撓ホース４０によって連結しておく。なお、このピボット筒２２は、マスク本体２１の前面に回転自在に設けられている。また、可撓ホース４０は、補助架台１０の腕片１２に吊り下げられた状態で支持されており、よって、患者Ｐの顔のほぼ直上から余裕（遊び）を持った状態で垂下されている。
【００１８】
そして、就寝に際し、患者Ｐは、寝床２において吸気マスク２０を装着する。この吸気マスク２０の装着は、ゴム帯２３を単に患者Ｐの両耳に掛けることによって行うことができる。この状態で、載置台１３の空気供給装置３０を作動してその吐出部３１から空気を吐き出し、その空気を、可撓ホース４０を通して吸気マスク２０に供給する。患者Ｐは、この供給された空気によって睡眠中の呼吸を良好に行うことができる。
【００１９】
なお、本実施形態における鉛直支持枠１１は、図４に示すように、その鉛直棒１４を、大径筒棒１４ａと小径筒棒１４ｂとを嵌挿させ、適宜の位置においてネジ棒１５で固定するように構成し、高さ調節自在としている。
【００２０】
また、本実施形態における吸気マスク２０の調整具５０は、図９に示すように、孔部５１ａを有する本体部５１の一方端部に、バネの弾力に抗して移動する押圧片５２を挿入して構成している。そして、ゴム帯２３の一部をループ状とし、そのループ状部分を本体部５１の孔部５１ａに挿通し、その末端部に孔部５１ａからの離脱を防止するための固定玉５３を嵌装している。
【００２１】
この調整具５０によってゴム帯２３の長さを調整するには、押圧片５２をバネの弾力に逆らって押すことによって、ゴム帯２３を本体部５１から移動自由な状態とし、所望長さ移動させる。移動させた後、押圧片５２を離すと、当該押圧片５２はバネの弾力によって元の位置に復帰し、ゴム帯２３を本体部５１に固定する。これによって、ゴム帯２３の長さを、患者Ｐに合わせて自由かつ容易に調整することができる。
【００２２】
本実施形態に係る無呼吸症候群治療装置１は、載置台１３に載せた空気供給装置３０から、空気を、腕片１２に吊り下げた可撓ホース４０を介して吸気マスク２０に供給するので、患者Ｐが寝返りを打った場合、その動きに可撓ホース４０が追従することができる。この追従は、可撓ホース４０を腕片１２から吊り下げて状態で余裕を持たせて支持していること、腕片１２を水平方向に微揺動するように設けていることや、撓み易い可撓ホース４０を使用していることによって容易に行うことができる。これにより、可撓ホース４０が吸気マスク２０から外れるなどして空気漏れを起こしてしまうことがなく、良好な治療を行うことができる。
【００２３】
また、この無呼吸症候群治療装置１においては、吸気マスク２０を、耳掛け用のゴム帯２３によって患者Ｐに装着するので、頭部や顔部などを強く締め付けて重苦しくさせることがなく、また、着脱も容易に行うことができる。従って、例えば、トイレに行く際にも迅速に取り外すことができる。
【００２４】
さらに、この吸気マスク２０のゴム帯２３は、マスク本体２１の下端部の左右一端を始端とし、当該マスク本体２１の上端部中央に形成した長孔２４を通して、下端部の他端に連結しているので、ゴム帯２３の左右の長さを容易に均等化することができる。また、ゴム帯２３に、その長さを調整するための調整具５０を設けているので、患者Ｐに合わせてゴム帯２３の長さを自在に調整することができる。更に、ゴムバンド２６は、マスク本体２１の下端部を後下方に引張るので、マスク本体２１の周縁を患者Ｐの顔面に密着させることが出来る。従って、きわめて使用性に優れる。
【図面の簡単な説明】
【００２５】
【図１】従来例に係る睡眠時無呼吸症候群治療装置を示す正面図である。
【図２】本考案に係る睡眠時無呼吸症候群治療装置の実施形態において、その使用状態を示す側面図である。
【図３】図２に示す装置の補助架台を示すもので、（ａ）は側面図、（ｂ）は正面図である。
【図４】図２に示す補助架台の鉛直支持枠を示す部分拡大図である。
【図５】図２に示す装置の吸気マスクの使用状態を示す正面図である。
【図６】図５に示す装置の吸気マスクを示す正面図である。
【図７】図５に示す吸気マスクの左側面図である。
【図８】図５に示す吸気マスクの背面図である。
【図９】図５に示す吸気マスクの調整具を示す正面図である。
【符号の説明】
【００２６】
１        睡眠時無呼吸症候群治療装置
２        寝床
１０      補助架台
１１      鉛直支持枠
１２      腕片
１３      載置台
１４      鉛直棒
１４ａ    大径筒棒
１４ｂ    小径筒棒
１５      ネジ棒
１６      ワイヤー
１７      支持台
２０      吸気マスク
２１      マスク本体
２２      ピボット筒
２３      ゴム帯
２４      長孔
２５      接触部材
２６      ゴムバンド
３０      空気供給装置
３１      吐出部
４０      可撓ホース
５０      調整具
５１      本体部
５１ａ    孔部
５２      押圧片
５３      固定玉
５４      リング
６０      睡眠時無呼吸症候群治療装置
６１      帯
６２      ノズル
６３      ホース
Ｐ        患者
【図１】
0003126678.tif 000003
【図２】
0003126678.tif 000004
【図３】
0003126678.tif 000005
【図４】
0003126678.tif 000006
【図５】
0003126678.tif 000007
【図６】
0003126678.tif 000008
【図７】
0003126678.tif 000009
【図８】
0003126678.tif 000010
【図９】
0003126678.tif 000011